(57)【要約】【課題】補聴器を置き忘れたり紛失したりしたとき、補聴器を見つけやすくすることができるサーチ機能付き補聴器システムを提供する。【解決手段】サーチ信号を発信する発信装置１０と、ハウリング抑制機能を備える補聴器本体２０とを有している。補聴器本体２０は、発信装置１０が発信するサーチ信号を受信する受信部２３と、発光部２４と、主電源２５を切ったとき作動する補助電源２６とを有している。補聴器本体２０は、受信部２３でサーチ信号を受信したとき、スピーカー２２の音量または高音出力を最大にし、ハウリング抑制機能を解除してハウリングを発生させ、発光部２４が発光するよう構成されている。【選択図】図１
0003148939.tif 000002
【実用新案登録請求の範囲】
【請求項１】
サーチ信号を発信する発信装置とハウリング抑制機能を備える補聴器本体とを有し、
前記補聴器本体は前記発信装置が発信する前記サーチ信号を受信する受信部を有し、前記受信部で前記サーチ信号を受信したとき、前記ハウリング抑制機能を解除しハウリングを発生させるよう構成されていることを、
特徴とするサーチ機能付き補聴器システム。
【請求項２】
前記補聴器本体は前記受信部で前記サーチ信号を受信したとき、スピーカー音量または高音出力を最大にする制御部を有することを、特徴とする請求項１記載のサーチ機能付き補聴器システム。
【請求項３】
前記補聴器本体は前記受信部で前記サーチ信号を受信したとき発光する発光部を有することを、特徴とする請求項１または２記載のサーチ機能付き補聴器システム。
【請求項４】
前記補聴器本体は、主電源とともに、少なくとも前記主電源を切ったとき作動し、前記主電源の機能をカバーする補助電源を有することを、特徴とする請求項１、２または３記載のサーチ機能付き補聴器システム。
【考案の詳細な説明】
【技術分野】
【０００１】
本考案は、サーチ機能付き補聴器システムに関する。
【背景技術】
【０００２】
従来、補聴器の紛失を防止するものとして、外した補聴器を収納するための携帯ケースがある（例えば、特許文献１参照）。なお、補聴器は、ハウリング抑制機能を有するものが一般的である（例えば、特許文献２参照）。
【０００３】
【特許文献１】特開２００４−１２０７２１号公報
【特許文献２】特開２００４−２９７３０４号公報
【考案の開示】
【考案が解決しようとする課題】
【０００４】
補聴器を外したとき、特許文献１記載の携帯ケース等に収納する場合には問題ないが、短時間のつもりで外し、ケースに入れずに置き忘れたり、外すときに落として紛失したりする危険性がある。特に補聴器のユーザーには高齢者が多く、補聴器が小さく目立たないため、置き忘れたり紛失したりしたときに見つけられないという課題があった。
【０００５】
本考案は、このような課題に着目してなされたもので、補聴器を置き忘れたり紛失したりしたとき、補聴器を見つけやすくすることができるサーチ機能付き補聴器システムを提供することを目的とする。
【課題を解決するための手段】
【０００６】
上記目的を達成するために、サーチ信号を発信する発信装置とハウリング抑制機能を備える補聴器本体とを有し、前記補聴器本体は前記発信装置が発信する前記サーチ信号を受信する受信部を有し、前記受信部で前記サーチ信号を受信したとき、前記ハウリング抑制機能を解除しハウリングを発生させるよう構成されていることを、特徴とする。
【０００７】
本考案に係るサーチ機能付き補聴器システムは、補聴器本体を置き忘れたり紛失したりしたとき、以下のようにして使用される。まず、発信装置を操作してサーチ信号を発信させる。補聴器本体の受信部がそのサーチ信号を受信すると、ハウリング抑制機能が解除される。これにより補聴器本体でハウリングが発生するため、その音を手がかりに補聴器本体を探し出すことができる。ハウリングの音は高周波であり、比較的遠くまで届きやすいため、補聴器本体の発見効率を高めることができる。このように、本考案に係るサーチ機能付き補聴器システムは、置き忘れたり紛失したりした補聴器本体を見つけやすくすることができる。
【０００８】
本考案に係るサーチ機能付き補聴器システムは、補聴器本体に既に組み込まれているハウリング抑制機能を解除する機能を組み込むだけであり、大音量を発生するための新たな部品等を取り付ける必要がないため、補聴器本体が大きくなるのを抑えることができる。なお、発信装置は、専用のものであってもよく、市販の補聴器用のリモコンを改造したものであってもよい。補聴器本体は、市販の補聴器を改造して、受信部やハウリングを解除する機能を追加したものから成っていてもよい。
【０００９】
本考案に係るサーチ機能付き補聴器システムで、前記補聴器本体は前記受信部で前記サーチ信号を受信したとき、スピーカー音量または高音出力を最大にする制御部を有することが好ましい。この場合、補聴器本体がハウリングを最大音量または最大出力で発生するため、置き忘れたり紛失したりした補聴器本体の発見効率をさらに高め、補聴器本体をより見つけやすくすることができる。
【００１０】
本考案に係るサーチ機能付き補聴器システムで、前記補聴器本体は前記受信部で前記サーチ信号を受信したとき発光する発光部を有していてもよい。この場合、ハウリングの音だけでなく、発光部の光をも手がかりにして、置き忘れたり紛失したりした補聴器本体を探し出すことができ、補聴器本体をより見つけやすくすることができる。発光部は、例えば、発光ダイオードから成っていてもよい。
【００１１】
本考案に係るサーチ機能付き補聴器システムで、前記補聴器本体は、主電源とともに、少なくとも前記主電源を切ったとき作動し、前記主電源の機能をカバーする補助電源を有することが好ましい。
【００１２】
この補助電源を有する場合、補聴器本体の主電源が切られていても、補助電源が受信部に電力を供給しているため、発信装置からのサーチ信号を受信部で受信することができる。さらに、補助電源が補聴器本体の主電源の機能をカバーするため、ハウリングを発生させることができる。この場合、主電源を切ったとき補助電源が受信部にのみ電力を供給し、受信部がサーチ信号を受信すると補聴器本体の他の負荷、例えばマイク、スピーカーにも電力を供給するよう構成されていることが好ましい。これにより、補助電源の電力消費を最小限に抑えることができ、補助電源の寿命を延ばすことができる。
【考案の効果】
【００１３】
本考案によれば、補聴器を置き忘れたり紛失したりしたとき、補聴器を見つけやすくすることができるサーチ機能付き補聴器システムを提供することができる。
【考案を実施するための最良の形態】
【００１４】
以下、図面に基づき本考案の実施の形態について説明する。
図１は、本考案の実施の形態のサーチ機能付き補聴器システムを示している。
図１に示すように、本考案の実施の形態のサーチ機能付き補聴器システムは、発信装置１０と補聴器本体２０とを有している。
【００１５】
図１（ａ）に示すように、発信装置１０は、市販の補聴器用のリモコンを改造して成り、乾電池から成る電源１１と発信部１２と操作ボタン（図示せず）とを有している。発信装置１０は、操作ボタンを押すと、発信部１２からサーチ信号を発信するようになっている。
【００１６】
図１（ｂ）に示すように、補聴器本体２０は、市販の補聴器を改造して成り、使用者の耳に装着可能になっている。補聴器本体２０は、マイク２１とスピーカー２２と受信部２３と発光部２４と主電源２５と補助電源２６と制御部２７とを有している。マイク２１は、制御部２７に接続され、外部の音声を拾って電気信号に変換し、制御部２７に送るようになっている。スピーカー２２は、制御部２７に接続され、制御部２７から送られてきた電気信号を音声に変換し、外部に発するようになっている。スピーカー２２は、補聴器本体２０を使用者の耳に装着したとき、使用者の耳に向かって音声を発するように設けられている。受信部２３は、制御部２７に接続され、発信装置１０が発信するサーチ信号を受信して制御部２７に送るようになっている。発光部２４は、発光ダイオードから成り、制御部２７に接続され、制御部２７からの発光信号により発光するようになっている。
【００１７】
主電源２５は、補聴器用の空気電池から成り、交換可能に設けられている。主電源２５は、制御部２７に接続され、制御部２７に電力を供給するとともに、制御部２７を介してマイク２１、スピーカー２２、受信部２３および発光部２４にも電力を供給するようになっている。主電源２５は、使用しないときに補聴器本体２０から外したりスイッチを切ったりすることにより、電力の供給をＯＮ／ＯＦＦ可能になっている。
【００１８】
補助電源２６は、補聴器用のボタン電池から成り、交換可能に設けられている。補助電源２６は、制御部２７に接続可能に設けられ、制御部２７だけでなく、制御部２７を介して主電源２５の機能をカバーするようマイク２１、スピーカー２２、受信部２３および発光部２４にも電力を供給可能になっている。
【００１９】
制御部２７は、マイク２１、スピーカー２２、受信部２３および発光部２４にそれぞれ接続されている。制御部２７は、マイク２１から送られてきた音声の電気信号を調整してスピーカー２２に送るようになっている。制御部２７は、補聴器本体２０を装着した使用者がスピーカー２２から発せられる音声をクリアに聞き取れるよう、音量を調整したり、所定の周波数の電気信号を増幅したりカットしたりするようになっている。また、制御部２７は、マイク２１とスピーカー２２とが近接しているために発生するハウリングを防止するよう、ハウリング抑制機能を有している。
【００２０】
制御部２７は、主電源２５を切ったとき補助電源２６に接続され、主電源２５を入れたとき補助電源２６との接続を解除するようになっている。制御部２７は、主電源２５を切ったとき、制御部２７および受信部２３にのみ補助電源２６の電力を供給し、さらに受信部２３がサーチ信号を受信したとき、マイク２１、スピーカー２２および発光部２４にも補助電源２６の電力を供給するよう構成されている。また、制御部２７は、受信部２３がサーチ信号を受信したとき、スピーカー２２の音量および高音出力を最大にし、ハウリング抑制機能を解除してハウリングを発生させるとともに、発光部２４に発光信号を送るよう構成されている。
【００２１】
次に、作用について説明する。
本考案の実施の形態のサーチ機能付き補聴器システムは、補聴器本体２０を置き忘れたり紛失したりしたとき、以下のようにして使用される。まず、発信装置１０の操作ボタンを押して、サーチ信号を発信する。補聴器本体２０の受信部２３がそのサーチ信号を受信すると、制御部２７がスピーカー２２の音量および高音出力を最大にし、ハウリング抑制機能を解除し、発光部２４に発光信号を送る。これにより、補聴器本体２０が高音の最大音量でハウリングを発生するとともに、発光部２４が発光する。このため、ハウリングの音および発光部２４の光を手がかりに補聴器本体２０を探し出すことができる。ハウリングの音は高音で比較的遠くまで届きやすいため、補聴器本体２０の発見効率を高めることができる。このように、発信装置１０による簡単な遠隔操作により、置き忘れたり紛失したりした補聴器本体２０を見つけやすくすることができる。
【００２２】
本考案の実施の形態のサーチ機能付き補聴器システムは、補聴器本体２０の主電源２５が切られていても、補助電源２６が制御部２７および受信部２３に電力を供給しているため、発信装置１０からのサーチ信号を受信部２３で受信することができる。また、サーチ信号を受信部２３で受信すると、マイク２１、スピーカー２２および発光部２４にも補助電源２６の電力を供給することができる。これにより、主電源２５が切られているときでも、ハウリングの音や発光部２４の光を手がかりにして補聴器本体２０を探し出すことができる。サーチ信号を受信しないときには、補助電源２６は制御部２７および受信部２３にだけしか電力を供給していないため、補助電源２６の電力消費を最小限に抑えることができ、補助電源２６の寿命を延ばすことができる。
【００２３】
本考案の実施の形態のサーチ機能付き補聴器システムは、発光部２４以外では、補聴器本体２０に既に組み込まれているハウリング抑制機能を解除する機能を組み込むだけであり、大音量を発生するための新たな部品等を取り付ける必要がないため、補聴器本体２０が大きくなるのを抑えることができる。
【００２４】
なお、本考案の実施の形態のサーチ機能付き補聴器システムは、使用者の耳が聞こえにくいため、主に使用者に代わって第三者がサーチ機能を使用することが好ましい。補聴器本体２０として、補聴器用のリモコンを使用しない市販の補聴器を改造する場合、補聴器本体２０に受信部２３を取り付け、その受信部２３が受信可能なサーチ信号を発信する発信装置１０を新たに製造することにより、本考案の実施の形態のサーチ機能付き補聴器システムを実現することができる。
【００２５】
補助電源２６は、主電源２５からの電力により充電可能に構成された充電池から成っていてもよい。また、補助電源２６は、サーチ機能が無効になるのを防ぐために、容易に取り外せないよう補聴器本体２０の内部に収納されていてもよい。発信装置１０は、操作ボタンを誤って押さないよう、操作ボタンをロックする安全装置を有していてもよい。この場合、誤った操作によりハウリングが発生し、補聴器本体２０を装着した使用者が不快な思いをしたり、使用者の耳に障害が発生したりするのを防ぐことができる。
【図面の簡単な説明】
【００２６】
【図１】本考案の実施の形態のサーチ機能付き補聴器システムの（ａ）発信装置を示すブロック図、（ｂ）補聴器本体を示すブロック図である。
【符号の説明】
【００２７】
１０  発信装置
１１  電源
１２  発信部
２０  補聴器本体
２１  マイク
２２  スピーカー
２３  受信部
２４  発光部
２５  主電源
２６  補助電源
２７  制御部
【図１】
0003148939.tif 000003